(57)【特許請求の範囲】
【請求項１】
第１の電線と電気的に接続される端子金具と、前記端子金具を保持する第１のコネクタハウジングと、前記第１のコネクタハウジングに対してスライド自在な第２のコネクタハウジングと、前記第２のコネクタハウジングに保持されかつ第２の電線と電気的に接続されるとともに前記端子金具と電気的に接続可能な圧接端子と、を備えたコネクタにおいて、
前記第１のコネクタハウジングは、前記第２の電線を保持する電線保持部を備え、
前記第２のコネクタハウジングは、前記第１の電線に交差する方向に沿って前記第１のコネクタハウジングに対してスライド自在であるとともに、
前記第１のコネクタハウジングの電線保持部に第２の電線を保持して、前記第２のコネクタハウジングを前記電線保持部に向かってスライドさせて、前記圧接端子に第２の電線を圧接することを特徴とするコネクタ。
【請求項２】
前記電線保持部は、前記第１の電線の長手方向に沿って第１のコネクタハウジングを切り欠いた切欠きを備え、該切欠き内を通して前記第１の電線と交差する状態で第２の電線を保持することを特徴とする請求項１記載のコネクタ。
【請求項３】
前記第１のコネクタハウジングに対するスライド方向に沿って前記第２のコネクタハウジングを切り欠いているとともに、内側に前記第２の電線を通すことのできる第２の切欠きを備えたことを特徴とする請求項２記載のコネクタ。
【請求項４】
前記第１のコネクタハウジングの電線保持部に第２の電線を保持して、前記第２のコネクタハウジングを前記電線保持部に向かってスライドさせて、前記端子金具と圧接端子とが電気的に接続する構成となっていることを特徴とする請求項１ないし請求項３のうちいずれか一項に記載のコネクタ。
【請求項５】
前記端子金具は前記圧接端子と電気的に接続する第１の電気接触部を備え、
前記圧接端子は前記端子金具と電気的に接続する第２の電気接触部を備え、
前記第１の電気接触部と前記第２の電気接触部とは、前記第２のコネクタハウジングが前記電線保持部に向かってスライドされて前記圧接端子に第２の電線が圧接されると、前記第１の電線の長手方向に互いに接触するとともに前記第１の電線の長手方向に沿って互いに近づく方向に弾性復元力を生じる構成となっていることを特徴とする請求項１ないし請求項４のうちいずれか一項に記載のコネクタ。
【請求項６】
前記端子金具は前記第１の電線を表面上に位置させる第１の底壁を備え、
前記圧接端子は前記第２の電線を表面上に位置させる第２の底壁を備え、
前記第１の電気接触部は板状に形成されかつ前記第１の底壁から立設しているとともに、前記第１の底壁から離れた側の縁が前記第１の電線の長手方向に沿って変位自在な接触片を備え、
前記第２の電気接触部は板状に形成されかつ前記第２の底壁から立設しているとともに、前記第２の底壁から離れた側の縁が前記第１の電線の長手方向に沿って変位自在な第２の接触片を備えたことを特徴とする請求項５記載のコネクタ。
【請求項７】
前記第１のコネクタハウジングに回転自在に支持され、かつ回転されることで前記第２のコネクタハウジングを前記第１のコネクタハウジングに対してスライドさせるレバー部材を備えたことを特徴とする請求項１ないし請求項６のうちいずれか一項に記載のコネクタ。
【発明の詳細な説明】
【０００１】
【発明の属する技術分野】
本発明は、電線同士の接続等に使用されるコネクタに関する。
【０００２】
【従来の技術】
機械としての自動車には、種々の電子機器が搭載される。このため、前記自動車には前述した電子機器に各種の信号や電力を供給するためにワイヤハーネスを配索している。ワイヤハーネスは、複数の電線と、該電線の端部などに取り付けられるコネクタと、を備えている。ワイヤハーネスは、コネクタが前述した電子機器のコネクタに結合することにより、前述した電子機器に各種の信号や電力を供給する。
【０００３】
また、前述した自動車には、ユーザなどの希望により、新たな電子機器が追加されることがある。勿論、この新たな電子機器に所望の信号や電力などを供給することが必要になる。このため、前記自動車に配索済みのワイヤハーネスの電線と、前記新たな電気機器に信号などを供給するための電線を電気的に接続するために例えば特開平４−３４２９６９号公報に示されたコネクタが用いられてきた。
【０００４】
前述した公報に記載されたコネクタは、溝を有する本体と、該本体部に回転自在に支持されたＵ字状の端子と、カバーとを備えている。溝内には、前述した配索済みの電線が侵入する。Ｕ字状の端子には、前述した新たに追加される電子機器と接続する電線が接続されている。カバーは、内側に本体が侵入可能な箱状に形成されている。
【０００５】
前述した構成のコネクタは、Ｕ字状の端子の開口と溝の開口とを一致させた状態で、これらの開口に前述した配索済みの電線を侵入させる。Ｕ字状の端子を回転させて、端子に電線の被覆部を切り込ませて、溝内の電線と端子とを接続する。さらに、カバーで本体を覆って、これらのカバーと本体とを固定する。前述した配索済みの電線が溝内から不意に抜け出ることを防止する。
【０００６】
【発明が解決しようとする課題】
前述したコネクタでは、Ｕ字状の端子と接続した電線と、配索済みの電線とを電気的に接続するために、まず、溝内に配索済みの電線を挿入する。さらに、Ｕ字状の端子を回転させた後、カバーで本体を覆う。このため、Ｕ字状の端子と接続した電線と、配索済みの電線とを電気的に接続するためにかかる手間が多かった。さらに、配索済みの電線は、非常に狭いスペース内に収容されているため、前述した端子を回転させて、カバーを本体に取り付ける作業も非常に狭いスペース内で行う必要があった。このため、電線を接続するためにかかる手間が増加することにくわえ、作業を非常に行いずらかった。このため、電線の接続にかかる作業時間が長時間化する傾向であった。
【０００７】
したがって、本発明の目的は、新たに追加される電子機器と接続した電線を配索済みの電線に容易に接続することができるコネクタを提供することにある。
【０００８】
【課題を解決するための手段】
前記課題を解決し目的を達成するために、請求項１に記載の本発明のコネクタは、第１の電線と電気的に接続される端子金具と、前記端子金具を保持する第１のコネクタハウジングと、前記第１のコネクタハウジングに対してスライド自在な第２のコネクタハウジングと、前記第２のコネクタハウジングに保持されかつ第２の電線と電気的に接続されるとともに前記端子金具と電気的に接続可能な圧接端子と、を備えたコネクタにおいて、前記第１のコネクタハウジングは、前記第２の電線を保持する電線保持部を備え、前記第２のコネクタハウジングは、前記第１の電線に交差する方向に沿って前記第１のコネクタハウジングに対してスライド自在であるとともに、前記第１のコネクタハウジングの電線保持部に第２の電線を保持して、前記第２のコネクタハウジングを前記電線保持部に向かってスライドさせて、前記圧接端子に第２の電線を圧接することを特徴としている。
【０００９】
請求項２に記載の本発明のコネクタは、請求項１に記載のコネクタにおいて、前記電線保持部は、前記第１の電線の長手方向に沿って第１のコネクタハウジングを切り欠いた切欠きを備え、該切欠き内を通して前記第１の電線と交差する状態で第２の電線を保持することを特徴としている。
【００１０】
請求項３に記載の本発明のコネクタは、請求項２に記載のコネクタにおいて、前記第１のコネクタハウジングに対するスライド方向に沿って前記第２のコネクタハウジングを切り欠いているとともに、内側に前記第２の電線を通すことのできる第２の切欠きを備えたことを特徴としている。
【００１１】
請求項４に記載の本発明のコネクタは、請求項１ないし請求項３のうちいずれか一項に記載のコネクタにおいて、前記第１のコネクタハウジングの電線保持部に第２の電線を保持して、前記第２のコネクタハウジングを前記電線保持部に向かってスライドさせて、前記端子金具と圧接端子とが電気的に接続する構成となっていることを特徴としている。
【００１２】
請求項５に記載の本発明のコネクタは、請求項１ないし請求項４のうちいずれか一項に記載のコネクタにおいて、前記端子金具は前記圧接端子と電気的に接続する第１の電気接触部を備え、前記圧接端子は前記端子金具と電気的に接続する第２の電気接触部を備え、前記第１の電気接触部と前記第２の電気接触部とは、前記第２のコネクタハウジングが前記電線保持部に向かってスライドされて前記圧接端子に第２の電線が圧接されると、前記第１の電線の長手方向に互いに接触するとともに前記第１の電線の長手方向に沿って互いに近づく方向に弾性復元力を生じる構成となっていることを特徴としている。
【００１３】
請求項６に記載の本発明のコネクタは、請求項５に記載のコネクタにおいて、前記端子金具は前記第１の電線を表面上に位置させる第１の底壁を備え、前記圧接端子は前記第２の電線を表面上に位置させる第２の底壁を備え、前記第１の電気接触部は板状に形成されかつ前記第１の底壁から立設しているとともに、前記第１の底壁から離れた側の縁が前記第１の電線の長手方向に沿って変位自在な接触片を備え、前記第２の電気接触部は板状に形成されかつ前記第２の底壁から立設しているとともに、前記第２の底壁から離れた側の縁が前記第１の電線の長手方向に沿って変位自在な第２の接触片を備えたことを特徴としている。
【００１４】
請求項７に記載の本発明のコネクタは、請求項１ないし請求項６のうちいずれか一項に記載のコネクタにおいて、前記第１のコネクタハウジングに回転自在に支持され、かつ回転されることで前記第２のコネクタハウジングを前記第１のコネクタハウジングに対してスライドさせるレバー部材を備えたことを特徴としている。
【００１５】
請求項１に記載した本発明のコネクタによれば、電線保持部に第２の電線を保持して、第２のコネクタハウジングを電線保持部に向かってスライドさせて、圧接端子に第２の電線を圧接させる。圧接端子は第１の電線と電気的に接続した端子金具と、電気的に接続する。このため、電線保持部に第２の電線を保持して、第２のコネクタハウジングを電線保持部に向かってスライドさせて、圧接端子に第２の電線を圧接させると、第１の電線と第２の電線とが電気的に接続する。
【００１６】
請求項２に記載した本発明のコネクタによれば、切欠きは第１のコネクタハウジングを切り欠いているので、電線保持部は第２の電線を確実に保持できる。また、電線保持部は、第１の電線と交差する状態で第２の電線を保持する。このため、電線保持部内に第２の電線を容易に挿入でき、第２の電線を圧接端子に確実に圧接できる。
【００１７】
請求項３に記載した本発明のコネクタによれば、第２の切欠きが第１のコネクタハウジングに対するスライド方向に沿って、第２のコネクタハウジングを切り欠いている。このため、切欠きが第１のコネクタハウジングを切り欠いた方向と、第２の切欠きが第２のコネクタハウジングを切り欠いた方向とは互いに交差している。このため、第２のコネクタハウジングを電線保持部に向かってスライドさせて、圧接端子に第２の電線を圧接すると、切欠きと第２の切欠きとで電線の外周を包囲することとなる。
【００１８】
請求項４に記載した本発明のコネクタによれば、第２のコネクタハウジングを電線保持部に向かってスライドさせると、端子金具と圧接端子とが電気的に接続する。このため、圧接端子に第２の電線を圧接させると、第２の電線と第１の電線とが確実に電気的に接続する。
【００１９】
請求項５に記載した本発明のコネクタによれば、端子金具の第１の電気接触部と、圧接端子の第２の電気接触部とは、第１の電線の長手方向に互いに接触して互いに近づく方向に弾性復元力を発生する。このため、第２のコネクタハウジングを電線保持部に向かってスライドさせると、端子金具と圧接端子とが確実に電気的に接続して、第１の電線と第２の電線とが確実に電気的に接続する。
【００２０】
請求項６に記載した本発明のコネクタによれば、第１の電気接触部と第２の電気接触部とは、第１及び第２の底壁から立設しかつこれらの底壁から離れた側の縁が第１の電線の長手方向に沿って変位自在である。このため、端子金具の第１の電気接触部と、圧接端子の第２の電気接触部とは、第２のコネクタハウジングを電線保持部に向かってスライドさせると、互いに接触して互いに近づく方向に弾性復元力を確実に発生する。したがって、端子金具と圧接端子とが確実に電気的に接続して、第１の電線と第２の電線とがより確実に電気的に接続する。
【００２１】
請求項７に記載した本発明のコネクタによれば、レバー部材を回転させることで、第２のコネクタハウジングをスライドさせる。このため、第２のコネクタハウジングを確実にスライドでき、圧接端子に第２の電線を確実に圧接できる。さらに、梃子の原理で少ない力で第２のコネクタハウジングをスライドでき、圧接端子に第２の電線を確実に圧接できる。
【００２２】
【発明の実施の形態】
本発明の第１の実施形態にかかるコネクタを図１ないし図１９を参照して説明する。図１などに示すコネクタ１は、自動車などに配索されるワイヤハーネスを構成し、前述した自動車に配索済みの一対の電線（以下第２の電線と呼ぶ）７と、該自動車に新たに追加される電子機器と接続した一対の電線（以下第１の電線と呼ぶ）３とを電気的に接続するために用いられる。
【００２３】
第１の電線３は、図１に示すように、それぞれ、導電性の芯線４と、該芯線４を被覆する絶縁性の被覆部５とを備えた所謂被覆電線である。一対の第１の電線３のうち一方の第１の電線３（以下符号３ａで示す）には、突起６が設けられている。突起６は、第１の電線３ａの全長に亘って被覆部５の外表面から第１の電線３ａの外周方向に突出している。他方の第１の電線３（以下符号３ｂで示す）は、断面丸形に形成されている。
【００２４】
第２の電線７は、図１５などに示すように、それぞれ、導電性の芯線８と、該芯線８を被覆する絶縁性の被覆部９とを備えた所謂被覆電線である。一対の第２の電線７のうち一方の第２の電線７（以下符号７ａで示す）には、突起１０が設けられている。突起１０は、第２の電線７ａの全長に亘って被覆部９の外表面から第２の電線７ａの外周方向に突出している。他方の第２の電線７（以下符号７ｂで示す）は、断面丸形に形成されている。
【００２５】
コネクタ１は、図１に示すように、第１のコネクタハウジング１１と、一対の端子金具１２（図２ないし図４に示す）と、第２のコネクタハウジング１３と、一対の圧接端子１４（図４に示す）と、レバー部材１５とを備えている。第１のコネクタハウジング１１は、絶縁性の合成樹脂からなり筒状に形成されている。第１のコネクタハウジング１１は、図１ないし図４に示すように、端子収容部１６と、電線保持部１７と、カバー１８とを備えている。端子収容部１６は、表面上に端子金具１２が置かれる壁１９と、該壁１９から立設した三つの立設壁２０と、を備えている。
【００２６】
立設壁２０は、互いに平行でかつ互いに等間隔に配されている。互いに隣り合う立設壁２０間は、端子金具１２を収容する端子収容溝２１をなしている。端子収容溝２１は、互いに平行でかつそれぞれ直線状に形成されている。また、三つの立設壁２０のうち端子収容部１６即ち第１のコネクタハウジング１１の外殻を形成する一対の立設壁２０には、それそれ、係合突起２２と、スライド突起２３とが設けられている。
【００２７】
係合突起２２とスライド突起２３は、それぞれ、前述した一対の立設壁２０から端子収容部１６即ち第１のコネクタハウジング１１の外方向に突出している。スライド突起２３は、立設壁２０の電線保持部１７寄りの端部に設けられている。スライド突起２３の端面には、凹部２４（図４に示す）が形成されている。係合突起２２は、立設壁２０の電線保持部１７から離れた側の端部に設けられている。
【００２８】
電線保持部１７は、端子収容溝２１の長手方向に沿って端子収容部１６に連なっている。電線保持部１７は、前記壁１９に連なる壁２５と、一対の周壁２６と、前記壁２５と間隔をあけて相対する壁２７と、を備えて筒状に形成されている。
【００２９】
壁２５には、第２のコネクタハウジング１３に取り付けられる圧接端子１４の圧接刃４９が通ることのできる貫通孔２８（図２に示す）が形成されている。一対の周壁２６は、前述した立設壁２０のうち端子収容部１６の外殻を形成する一対の立設壁２０と連なっている。一対の周壁２６は、壁２５から立設している。一対の周壁２６には、それぞれ切欠き２９が形成されている。切欠き２９は、前記周壁２６の端子収容部１６から離れた側の縁から端子収容部１６に向かって周壁２６を切り欠いている。このため、周壁２６は、側方からみてコ字状に形成されている。又、切欠き２９は、端子収容部１６に収容される端子金具１２に圧接される第１の電線３ａ，３ｂの長手方向に沿って周壁２６即ち第１のコネクタハウジング１１を切り欠いている。
【００３０】
また、前述した切欠き２９の長手方向の中央部には、一方の第２の電線７ａの突起１０と干渉（接触）する段差３０が設けられている。この段差３０により、一方の第２の電線７ａは、切欠き２９の中央部までしか侵入できない。他方の第２の電線７ｂは、切欠き２９の奥まで侵入できる。壁２７は、一対の周壁２６に連なっているとともに、壁２５と平行である。
【００３１】
前述した構成によって、電線保持部１７内即ち壁２５と壁２７間には、切欠き２９を通して第２の電線７ａ，７ｂが侵入可能である。切欠き２９を通して電線保持部１７内に侵入した第２の電線７ａ，７ｂの長手方向は、端子金具１２に接続される第１の電線３ａ，３ｂの長手方向と直交（交差）する。すなわち、電線保持部１７は、第１の電線３ａ，３ｂの長手方向と交差する状態で、第２の電線７ａ，７ｂを保持可能である。
【００３２】
カバー１８は、ヒンジ３１を介して電線保持部１７に連なっている。ヒンジ３１は、壁２７の縁部に連なっている。カバー１８は、平板状に形成されている。カバー１８は、ヒンジ３１によって、端子収容部１６に対して回転自在となっている。カバー１８は、前述した係合突起２２に係合可能なカバーロックアーム３２を備えている。カバー１８は、ヒンジ３１を中心として回転することで、図２に示す壁２７に重なりかつ端子収容部１６の端子収容溝２１の壁１９から離れた側を開放する位置と、図１に示すカバーロックアーム３２が係合突起２２に係合しかつ端子収容部１６の壁１９と間隔をあけて相対して端子収容溝２１の壁１９から離れた側を覆う位置と、に亘って変位する。
【００３３】
さらに、カバー１８には、電線識別部としての一対の突起３３が設けられている。一対の突起３３は、カバー１８が端子収容溝２１を覆うと、それぞれ端子収容溝２１内に侵入する。一対の突起３３のうち一方の突起３３（以下符号３３ａで示す）には、図２及び図１２などに示すように、端面から凹の凹溝３４が形成されている。凹溝３４は、一方の突起３３ａの全長に亘って設けられている。凹溝３４内には、一方の第１の電線３ａの突起６が侵入する。凹溝３４内に一方の第１の電線３ａの突起６が侵入しても、カバー１８のカバーロックアーム３２は係合突起２２に係合することができる。
【００３４】
このように、一方の突起３３ａは、凹溝３４内に突起６が侵入した格好でカバーロックアーム３２が係合突起２２に係合することを許容する。こうして、一方の突起３３ａは、侵入する端子収容溝２１内に挿入された端子金具１２に一方の第１の電線３ａが圧接することを許容する。
【００３５】
他方の突起３３（以下符号３３ｂで示す）は、侵入する端子収容溝２１内に挿入された端子金具１２に一方の第１の電線３ａが圧接された際に、突起６と干渉して、カバーロックアーム３２が係合突起２２に係合することを規制する。このように、他方の突起３３ｂは、突起６と干渉してカバーロックアーム３２が係合突起２２に係合することを規制することで、侵入する端子収容溝２１内に挿入された端子金具１２に一方の第１の電線３ａが圧接されることを防止する。
【００３６】
このように、一対の突起３３ａ，３３ｂの内一方の突起３３ａは、侵入する端子収容溝２１内に一方の第１の電線３ａが取り付けられることを許容する。他方の突起３３ｂは、侵入する端子収容溝２１内に一方の第１の電線３ａが取り付けられることを規制する。こうして、一対の突起３３ａ，３３ｂは、端子収容溝２１内に取り付けられる一対の第１の電線３ａ，３ｂのうち一方の第１の電線３ａと他方の第１の電線３ｂとをより分ける。こうして、第１のコネクタハウジング１１は、第１の電線３ａ，３ｂを保持する。
【００３７】
端子金具１２は、図５に示すように、電線接続部３５と、圧接端子１４と電気的に接続する第１の電気接触部３６とを備えている。電線接続部３５は、第１の電線３ａ，３ｂが表面上に置かれる第１の底壁３７と、一対の側壁３８と、複数対の圧接刃３９ａ，３９ｂと、を備えている。第１の底壁３７は、平面形状が矩形状に形成されている。第１の底壁３７の長手方向は、表面上に置かれる第１の電線３ａ，３ｂの長手方向と平行である。
【００３８】
一対の側壁３８は、第１の底壁３７の幅方向の両縁から立設している。一対の側壁３８は、互いの間隔をあけて相対している。複数対の圧接刃３９ａ，３９ｂは、一対の側壁３８から互いに近づく方向に延びており、互いの間に侵入した第１の電線３ａ，３ｂの被覆部５を切り込んで、第１の電線３ａ，３ｂの芯線４と接触する。電線接続部３５即ち端子金具１２は、芯線４と電気的に接続する。即ち、電線接続部３５即ち端子金具１２は、第１の電線３ａ，３ｂと圧接する。
【００３９】
第１の電気接触部３６は、電線接続部３５に連なった板状の接触片４０を備えている。接触片４０は、前記第１の底壁３７から一対の側壁３８と同方向に立設している。接触片４０は、第１の底壁３７から離れた側の縁が、電線接続部３５に圧接される第１の電線３ａ，３ｂの長手方向に沿って変位自在である。接触片４０は、前述した方向に変位するように弾性変形自在である。
【００４０】
前述した構成の端子金具１２は、第１のコネクタハウジング１１の端子収容部１６の端子収容溝２１内に収容される。こうして、端子金具１２は、第１のコネクタハウジング１１に保持される。そして、圧接刃３９ａ，３９ｂ間に第１の電線３ａ，３ｂが圧入されて、該圧接刃３９ａ，３９ｂが第１の電線３ａ，３ｂの被覆部５を切り込んで、芯線４と接触する。端子金具１２は、第１の電線３ａ，３ｂと電気的に接続される。
【００４１】
第２のコネクタハウジング１３は、図４に示すように、平面形状が四角形状の壁４１と、三つの周壁４２とを備えている。周壁４２は、それぞれ壁４１の外縁から立設している。壁４１の表面上には、圧接端子１４が取り付けられる。こうして、圧接端子１４は、第２のコネクタハウジング１３に保持される。三つの周壁４２のうち互いの間隔をあけて相対する一対の周壁４２には、第２の切欠き４３と、長孔４４と、連動突起４５とが形成されている。第２の切欠き４３は、周壁４２の壁４１から離れた側の縁から壁４１に向かって周壁４２を切り欠いている。このため、第２の切欠き４３は、図１中の矢印Ｂで示す第１のコネクタハウジング１１に対する第２のコネクタハウジング１３のスライド方向に沿って、第２のコネクタハウジング１３を切り欠いている。また、第２の切欠き４３は、内側に第２の電線７ａ，７ｂを通すことができる。
【００４２】
このため、切欠き２９が第１のコネクタハウジング１１を切り欠いた方向と、第２の切欠き４３が第２のコネクタハウジング１３を切り欠いた方向とは直交（交差）している。このため、後述するように、第２のコネクタハウジング１３を電線保持部１７に近づけると、切欠き２９と第２の切欠き４３とで第２の電線７ａ，７ｂの外周を包囲する。
【００４３】
長孔４４の長手方向は、壁４１の表面に対し直交している。長孔４４内には、スライド突起２３が侵入する。連動突起４５は、周壁４２の外面から第２のコネクタハウジング１３の外方向に突出している。
【００４４】
第２のコネクタハウジング１３は、壁４１が第１のコネクタハウジング１１の壁１９，２７と平行となりかつ周壁４２の内側に第１のコネクタハウジング１１の電線保持部１７を収容した格好で、第１のコネクタハウジング１１に取り付けられる。このとき、スライド突起２３が第２のコネクタハウジング１３の長孔４４内に挿入される。このため、第２のコネクタハウジング１３は、壁４１と壁１９，２５とが互いに相対する方向に沿ってスライド自在に、第１のコネクタハウジング１１に支持される。
【００４５】
第２のコネクタハウジング１３は、第１のコネクタハウジング１１に取り付けられる端子金具１２に接続された第１の電線３ａ，３ｂの長手方向に対し直交（交差）する方向（図１中の矢印Ｂで示す）に沿って、第１のコネクタハウジング１１に対してスライド自在となる。即ち、第２のコネクタハウジング１３は、第１のコネクタハウジング１１に対してスライドすることで、第１のコネクタハウジング１１の電線保持部１７に近づいたり離れたり（接離）する。
【００４６】
圧接端子１４は、図５に示すように、電線接続部４６と、端子金具１２と電気的に接続する第２の電気接触部４７とを備えている。電線接続部４６は、第２の電線７ａ，７ｂが表面上に置かれる第２の底壁４８と、複数の圧接刃４９と、を備えている。第２の底壁４８は、平面形状が矩形状に形成されている。第２の底壁４８の長手方向は、表面上に置かれる第２の電線７ａ，７ｂの長手方向と直交する。
【００４７】
複数の圧接刃４９は、第２の底壁４８の幅方向の両縁から立設している。圧接刃４９には、第２の電線７ａ，７ｂの被覆部９を切り込んで芯線８と接触することのできる切欠き５０が設けられている。切欠き５０は、第２の底壁４８から離れた側の圧接刃４９の縁から第２の底壁４８に向かって圧接刃４９を切り欠いている。即ち、電線接続部４６即ち圧接端子１４は、第２の電線７ａ，７ｂと圧接するとともに、電気的に接続する。
【００４８】
第２の電気接触部４７は、電線接続部４６に連なった板状の第２の接触片５１を備えている。第２の接触片５１は、前記第２の底壁４８から圧接刃４９と同方向に立設している。第２の接触片５１は、第２の底壁４８から離れた側の縁が、端子金具１２の電線接続部３５に圧接される第１の電線３ａ，３ｂの長手方向に沿って変位自在である。第２の接触片５１は、前述した方向に変位するように弾性変形自在である。
【００４９】
前述した構成の圧接端子１４は、図６に示すように、第２の接触片５１が第１のコネクタハウジング１１に取り付けられた端子金具１２の接触片４０寄りに位置した状態で、第２のコネクタハウジング１３の壁４１上に取り付けられる。そして、第２のコネクタハウジング１３が電線保持部１７に向かってスライドされると、圧接刃４９が貫通孔２８を通して徐々に電線保持部１７内に侵入するとともに、第２の接触片５１が図７に示すように端子金具１２の接触片４０と接触する。
【００５０】
さらに、第２のコネクタハウジング１３を電線保持部１７に向かってスライドさせると、図８に示すように、第１及び第２の底壁３７，４８から離れた側の縁が互いに離れる方向に接触片４０，５１が弾性変形する。第２のコネクタハウジング１３を電線保持部１７に向かってスライドさせて、圧接刃４９が電線保持部１７内に完全に侵入すると、第１のコネクタハウジング１１に取り付けられる第１の電線３ａ，３ｂの長手方向に接触片４０，５１が互いに接触する。これらの接触片４０，５１は、図９中の矢印Ｋ１，Ｋ２で示すように互いに近づく方向の弾性復元力を生じる。接触片４０，５１が前述した弾性復元力を生じた格好で互いに接触して、端子金具１２と圧接端子１４とは互いに電気的に接続する。
【００５１】
また、一方の第１の電線３ａと圧接される端子金具１２（以下符号１２ａで示す）と電気的に接続する一方の圧接端子１４（以下符号１４ａで示す）の圧接刃４９は、電線保持部１７の切欠き２９の長手方向の中央に配される。他方の第１の電線３ｂと圧接される端子金具１２（以下符号１２ｂで示す）と電気的に接続する他方の圧接端子１４（以下符号１４ｂで示す）の圧接刃４９は、電線保持部１７の切欠き２９の長手方向の両端部に配される。
【００５２】
前述した構成によれば、第２のコネクタハウジング１３の壁４１が電線保持部１７の壁２５と間隔をあけた状態で、電線保持部１７内に切欠き２９を通して第２の電線７ａ，７ｂが挿入される。このとき、第２の電線７ａ，７ｂの長手方向は、第１の電線３ａ，３ｂの長手方向と直交（交差）している。さらに、一方の第２の電線７ａは、段差３０と干渉して、切欠き２９の中央部に位置している。他方の第２の電線７ｂは、図１６に示すように一方の第２の電線７ａより端子収容部１６寄りに位置しているか、図１８に示すように一方の第２の電線７ａより端子収容部１６から離れている。
【００５３】
第２のコネクタハウジング１３を電線保持部１７に向かってスライドさせる。すると、前述したように接触片４０，５１が弾性復元力を生じて互いに接触する。さらに、一方の圧接端子１４ａの圧接刃４９に一方の第２の電線７ａが圧接する。他方の圧接端子１４ｂの圧接刃４９に他方の第２の電線７ｂが圧接する。こうして、一方の第１の電線３ａが、一方の端子金具１２ａと一方の圧接端子１４ａとを介して、一方の第２の電線７ａと電気的に接続する。他方の第１の電線３ｂが、他方の端子金具１２ｂと他方の圧接端子１４ｂとを介して、他方の第２の電線７ｂと電気的に接続する。
【００５４】
レバー部材１５は、平面形状が矩形状の壁５２と、一対の周壁５３とを備えている。一対の周壁５３は、壁５２の外縁から同方向に立設しており、互いの間隔をあけて相対している。周壁５３には、突起５５（図４に一方のみ示す）と、長孔５４が設けられている。突起５５は、周壁５３の端部に設けられかつスライド突起２３の凹部２４に係合する。突起５５がスライド突起２３の凹部２４に係合することで、レバー部材１５は、第１のコネクタハウジング１１に突起５５を中心として回転自在に支持される。長孔５４は、周壁５３の中央部に設けられかつ内側に連動突起４５が侵入する。
【００５５】
図１４に示す壁５２が第１のコネクタハウジング１１の壁１９，２５と交差する状態にレバー部材１５が変位すると、前述した長孔５４と連動突起４５により、第２のコネクタハウジング１３は電線保持部１７から離れた状態となる。図１に示す壁５２が第１のコネクタハウジング１１の壁１９，２５と平行な状態にレバー部材１５が変位すると、前述した長孔５４と連動突起４５により、第２のコネクタハウジング１３は電線保持部１７に近づいた状態となる。このように、レバー部材１５を回転することで、第２のコネクタハウジング１３を第１のコネクタハウジング１１の電線保持部１７に近づけたり、該電線保持部１７から遠ざけたりする。即ち、レバー部材１５を回転して、第２のコネクタハウジング１３をスライドさせる。
【００５６】
前述したコネクタ１を組み立てる際には、まず、第１のコネクタハウジング１１の端子収容溝２１内に端子金具１２ａ，１２ｂを収容する。そして、第２のコネクタハウジング１３の壁４１に圧接端子１４ａ，１４ｂを取り付ける。第２のコネクタハウジング１３の長孔４４内にスライド突起２３を通して、第１のコネクタハウジング１１と第２のコネクタハウジング１３とを互いに取り付ける。その後、第１のコネクタハウジング１１のスライド突起２３の凹部２４に突起５５を挿入しかつ長孔５４内に連動突起４５を挿入して、これらのコネクタハウジング１１，１３にレバー部材１５を取り付ける。
【００５７】
前述したコネクタ１を用いて、自動車に新たな電子機器を追加して、該電子機器を自動車に配索済みの第２の電線７ａ，７ｂと電気的に接続する際には、まず、第１の電線３ａ，３ｂを端子金具１２ａ，１２ｂに取り付ける。なお、これらの第１の電線３ａ，３ｂは、前述した自動車に新たに追加される電子機器と電気的に接続する。第１の電線３ａ，３ｂを図１０中の矢印Ａに沿って端子金具１２ａ，１２ｂの圧接刃３９ａ，３９ｂ間に圧入して、端子金具１２ａ，１２ｂに第１の電線３ａ，３ｂを圧接する。
【００５８】
そして、ヒンジ３１を中心としてカバー１８を回転させて、図１１に示すように、カバーロックアーム３２を係合突起２２に係合させる。このとき、図１３に示すように、一方の突起３３ａが侵入する端子収容溝２１に取り付けられた端子金具１２ａには、一方の第１の電線３ａが圧接している。一方の突起３３ａの凹溝３４内には一方の第１の電線３ａの突起６が侵入している。他方の突起３３ｂが侵入する端子収容溝２１に取り付けられた端子金具１２ｂには、他方の第１の電線３ｂが圧接されている。
【００５９】
なお、このとき、他方の突起３３ｂと、一方の第１の電線３ａの突起６が干渉して、カバー１８のカバーロックアーム３２が係合突起２２に係合しない場合には、第１の電線３ａ，３ｂを端子金具１２ａ，１２ｂから取り外す。再度、第１の電線３ａ，３ｂを端子金具１２ａ，１２ｂに圧接して、第１のコネクタハウジング１１に第１の電線３ａ，３ｂを取り付ける。
【００６０】
そして、図１４及び図１５に示すように、壁５２が第１のコネクタハウジング１１の壁１９，２５に交差した状態にレバー部材１５を位置させ、第２のコネクタハウジング１３を電線保持部１７から離しておく。
【００６１】
そして、第１の電線３ａ，３ｂが取り付けられたコネクタ１を、第１のコネクタハウジング１１の電線保持部１７から配索済みの第２の電線７ａ，７ｂに近づける。切欠き２９を通して電線保持部１７内に第２の電線７ａ，７ｂを挿入する。このとき、一方の第２の電線７ａは、突起６が段差３０を干渉（接触）して、切欠き２９の中央部に位置している。他方の第２の電線７ｂは、図１６に示すように一方の第２の電線７ａより端子収容部１６寄りに位置しているか、図１８に示すように一方の第２の電線７ａより端子収容部１６から離れている。
【００６２】
そして、壁５２が端子収容部１６の壁１９に重なるまで、レバー部材１５を回転させる。すると、前述した長孔５４と連動突起４５により、第２のコネクタハウジング１３は、電線保持部１７に向かってスライドする。すると、電線保持部１７の壁２５の貫通孔２８を通して圧接端子１４ａ，１４ｂの圧接刃４９が電線保持部１７内に徐々に侵入するとともに、端子金具１２ａ，１２ｂの接触片４０が圧接端子１４ａ，１４ｂの第２の接触片５１に徐々に近づく。
【００６３】
圧接端子１４ａ，１４ｂの圧接刃４９に第２の電線７ａ，７ｂが圧接するとともに、接触片４０，５１が互いに近づく方向に弾性復元力を生じた格好で互いに接触する。こうして、図１７または図１９に示すように、レバー部材１５の壁５２が端子収容部１６の壁１９に重なる。
【００６４】
こうして、一方の第１の電線３ａと一方の第２の電線７ａとが電気的に接続し、他方の第１の電線３ｂと他方の第２の電線７ｂとが電気的に接続する。このように、新たに追加される電子機器を配索済みの第２の電線７ａ，７ｂに電気的に接続することができる。
【００６５】
本実施形態によれば、電線保持部１７に第２の電線７ａ，７ｂを保持して、第２のコネクタハウジング１３を電線保持部１７に向かってスライドさせて、圧接端子１４ａ，１４ｂに第２の電線７ａ，７ｂを圧接させる。すると、端子金具１２ａ，１２ｂと圧接端子１４ａ，１４ｂとが電気的に接続する。このため、電線保持部１７に第２の電線７ａ，７ｂを保持して、第２のコネクタハウジング１３をスライドさせることで、第１の電線３ａ，３ｂと第２の電線７ａ，７ｂとを電気的に接続できる。したがって、第１の電線３ａ，３ｂと第２の電線７ａ，７ｂとを容易に電気的に接続でき、第１の電線３ａ，３ｂと第２の電線７ａ，７ｂとを確実に電気的に接続できる。
【００６６】
切欠き２９が第１のコネクタハウジング１１を切り欠いているので、電線保持部１７は第２の電線７ａ，７ｂを確実に保持できる。また、電線保持部１７は、第１の電線３ａ，３ｂと交差する状態で第２の電線７ａ，７ｂを保持する。このため、電線保持部１７内に第２の電線７ａ，７ｂを容易に挿入でき、第２の電線７ａ，７ｂを圧接端子１４ａ，１４ｂに確実に圧接できる。したがって、電線保持部１７内に第２の電線７ａ，７ｂを容易に挿入できるので、第１の電線３ａ，３ｂと第２の電線７ａ，７ｂとを容易に電気的に接続できる。
【００６７】
第２の切欠き４３が第１のコネクタハウジング１１に対するスライド方向に沿って、第２のコネクタハウジング１３を切り欠いている。このため、電線保持部１７の切欠き２９が第１のコネクタハウジング１１を切り欠いた方向と、第２の切欠き４３が第２のコネクタハウジング１３を切り欠いた方向とは互いに交差している。このため、第２のコネクタハウジング１３を電線保持部１７に向かってスライドさせて、圧接端子１４ａ，１４ｂに第２の電線７ａ，７ｂを圧接すると、切欠き２９と第２の切欠き４３とで第２の電線７ａ，７ｂの外周を包囲することとなる。したがって、第１の電線３ａ，３ｂと接続された第２の電線７ａ，７ｂが不意に脱落することを防止できる。
【００６８】
端子金具１２ａ，１２ｂの接触片４０と、圧接端子１４ａ，１４ｂの第２の接触片５１とは、第１の電線３ａ，３ｂの長手方向に互いに接触して互いに近づく方向に弾性復元力を発生する。このため、第２のコネクタハウジング１３を電線保持部１７に向かってスライドさせると、端子金具１２ａ，１２ｂと圧接端子１４ａ，１４ｂとが確実に電気的に接続して、第１の電線３ａ，３ｂと第２の電線７ａ，７ｂとが確実に電気的に接続する。したがって、第１の電線３ａ，３ｂと第２の電線７ａ，７ｂとをより確実に電気的に接続できる。
【００６９】
接触片４０，５１は、第１及び第２の底壁３７，４８から立設しかつこれらの底壁３７，４８から離れた側の縁が第１の電線３ａ，３ｂの長手方向に沿って変位自在である。このため、第２のコネクタハウジング１３を電線保持部１７に向かってスライドさせると、接触片４０，５１は互いに接触して互いに近づく方向に弾性復元力を確実に発生する。したがって、第１の電線３ａ，３ｂと第２の電線７ａ，７ｂとをより一層確実に電気的に接続できる。
【００７０】
レバー部材１５を回転させることで、第２のコネクタハウジング１３をスライドさせる。このため、第２のコネクタハウジング１３を確実にスライドでき、圧接端子１４ａ，１４ｂに第２の電線７ａ，７ｂを確実に圧接できる。したがって、第１の電線３ａ，３ｂと第２の電線７ａ，７ｂとをより一層確実に電気的に接続できる。さらに、梃子の原理で少ない力で第２のコネクタハウジング１３をスライドでき、圧接端子１４ａ，１４ｂに第２の電線７ａ，７ｂを確実に圧接できる。
【００７１】
次に、本発明の第２の実施形態にかかるコネクタを図２０及び図２１を参照して説明する。なお、前述した第１の実施形態と同一部分には同一符号を付して説明を省略する。本実施形態のコネクタ１は、前述した第１の実施形態のコネクタ１からレバー部材１５を取り外したものである。他の構成は、前述した第１の実施形態のコネクタ１と同等である。
【００７２】
本実施形態のコネクタ１の圧接端子１４ａ，１４ｂに第２の電線７ａ，７ｂを圧接する際には、図２１に示す工具６０を用いる。工具６０は、ペンチ状に形成されており、作用部６１と支点部６２と入力部６３とを備えている。作用部６１は、互いに離れたり近づいたり（接離）する一対の挟み片６４を備えている。一対の挟み片６４は、互いの間にコネクタ１を挟む。支点部６２は、一対の挟み片６４を互いに接離自在に支持する。入力部６３は、一対の挟み片６４と連動して互いに接離する一対の柄６５を備えている。前述した構成の工具６０は、作業員が一対の柄６５を互いに近づけると、一対の挟み片６４が互いに近づく。
【００７３】
本実施形態のコネクタ１は、前述した第１の実施形態と同様に組み立てられる。まず、第１のコネクタハウジング１１の端子収容溝２１内に端子金具１２ａ，１２ｂを収容する。そして、第２のコネクタハウジング１３の壁４１に圧接端子１４ａ，１４ｂを取り付ける。第２のコネクタハウジング１３の長孔４４内にスライド突起２３を通して、第１のコネクタハウジング１１と第２のコネクタハウジング１３とを互いに取り付ける。
【００７４】
前述したコネクタ１を用いて、自動車に新たな電子機器を追加して、該電子機器を自動車に配索済みの第２の電線７ａ，７ｂと電気的に接続する際には、前述した第１の実施形態と同様に、まず、第１の電線３ａ，３ｂを端子金具１２ａ，１２ｂに取り付ける。そして、ヒンジ３１を中心としてカバー１８を回転させて、カバーロックアーム３２を係合突起２２に係合させる。
【００７５】
第１の電線３ａ，３ｂが取り付けられたコネクタ１を、図２１に示すように、工具６０の一対の挟み片６４間に挟む。工具６０毎、コネクタ１を第１のコネクタハウジング１１の電線保持部１７から配索済みの第２の電線７ａ，７ｂに近づける。切欠き２９を通して電線保持部１７内に第２の電線７ａ，７ｂを挿入する。このとき、一方の第２の電線７ａは、切欠き２９の中央部に位置している。他方の第２の電線７ｂは、一方の第２の電線７ａより端子収容部１６寄りに位置しているか、一方の第２の電線７ａより端子収容部１６から離れている。
【００７６】
そして、一対の柄６５を互いに近づけて、第２のコネクタハウジング１３を電線保持部１７に向かってスライドさせる。すると、電線保持部１７の壁２５の貫通孔２８を通して圧接端子１４ａ，１４ｂの圧接刃４９が電線保持部１７内に徐々に侵入するとともに、端子金具１２ａ，１２ｂの接触片４０が圧接端子１４ａ，１４ｂの第２の接触片５１に徐々に近づく。圧接端子１４ａ，１４ｂの圧接刃４９に第２の電線７ａ，７ｂが圧接するとともに、接触片４０，５１が互いに近づく方向に弾性復元力を生じた格好で互いに接触する。
【００７７】
こうして、一方の第１の電線３ａと一方の第２の電線７ａとが電気的に接続し、他方の第１の電線３ｂと他方の第２の電線７ｂとが電気的に接続する。このように、新たに追加される電子機器を配索済みの第２の電線７ａ，７ｂに電気的に接続することができる。
【００７８】
本実施形態によれば、前述した第１の実施形態と同様に、電線保持部１７に第２の電線７ａ，７ｂを保持して、第２のコネクタハウジング１３をスライドさせることで、第１の電線３ａ，３ｂと第２の電線７ａ，７ｂとを電気的に接続できる。したがって、第１の電線３ａ，３ｂと第２の電線７ａ，７ｂとを容易に電気的に接続でき、第１の電線３ａ，３ｂと第２の電線７ａ，７ｂとを確実に電気的に接続できる。
【００７９】
切欠き２９が第１のコネクタハウジング１１を切り欠いているので、電線保持部１７は第２の電線７ａ，７ｂを確実に保持できる。また、電線保持部１７は、第１の電線３ａ，３ｂと交差する状態で第２の電線７ａ，７ｂを保持する。このため、電線保持部１７内に第２の電線７ａ，７ｂを容易に挿入でき、第２の電線７ａ，７ｂを圧接端子１４ａ，１４ｂに確実に圧接できる。したがって、第１の電線３ａ，３ｂと第２の電線７ａ，７ｂとを容易に電気的に接続できる。
【００８０】
第２の切欠き４３が第１のコネクタハウジング１１に対するスライド方向に沿って、第２のコネクタハウジング１３を切り欠いている。このため、第２のコネクタハウジング１３を電線保持部１７に向かってスライドさせて、圧接端子１４ａ，１４ｂに第２の電線７ａ，７ｂを圧接すると、切欠き２９と第２の切欠き４３とで第２の電線７ａ，７ｂの外周を包囲することとなる。したがって、第１の電線３ａ，３ｂと接続された第２の電線７ａ，７ｂが不意に脱落することを防止できる。
【００８１】
端子金具１２ａ，１２ｂの接触片４０と、圧接端子１４ａ，１４ｂの第２の接触片５１とは、第１の電線３ａ，３ｂの長手方向に互いに接触して互いに近づく方向に弾性復元力を発生する。このため、第２のコネクタハウジング１３を電線保持部１７に向かってスライドさせると、端子金具１２ａ，１２ｂと圧接端子１４ａ，１４ｂとが確実に電気的に接続して、第１の電線３ａ，３ｂと第２の電線７ａ，７ｂとが確実に電気的に接続する。したがって、第１の電線３ａ，３ｂと第２の電線７ａ，７ｂとをより確実に電気的に接続できる。
【００８２】
接触片４０，５１は、第１及び第２の底壁３７，４８から立設しかつこれらの底壁３７，４８から離れた側の縁が第１の電線３ａ，３ｂの長手方向に沿って変位自在である。このため、第２のコネクタハウジング１３を電線保持部１７に向かってスライドさせると、接触片４０，５１は互いに接触して互いに近づく方向に弾性復元力を確実に発生する。したがって、第１の電線３ａ，３ｂと第２の電線７ａ，７ｂとをより一層確実に電気的に接続できる。
【００８３】
工具６０の一対の柄６５を互いに近づけることで、第２のコネクタハウジング１３をスライドさせる。このため、第２のコネクタハウジング１３を確実にスライドでき、圧接端子１４ａ，１４ｂに第２の電線７ａ，７ｂを確実に圧接できる。したがって、第１の電線３ａ，３ｂと第２の電線７ａ，７ｂとをより一層確実に電気的に接続できる。さらに、前述した第１及び第２の実施形態では、一対の第１の電線３ａ，３ｂと一対の第２の電線７ａ，７ｂとを接続している。しかしながら、本発明では、一本の第１の電線３と一本の第２の電線７とを接続しても良く、三本以上の第１の電線３と三本以上の第２の電線７とを接続しても良い。
【００８４】
【発明の効果】
以上説明したように、請求項１に記載の本発明は、電線保持部に第２の電線を保持して、第２のコネクタハウジングを電線保持部に向かってスライドさせて、圧接端子に第２の電線を圧接させる。圧接端子は第１の電線と電気的に接続した端子金具と、電気的に接続する。このため、電線保持部に第２の電線を保持して、第２のコネクタハウジングをスライドさせることで、第１の電線と第２の電線とを電気的に接続できる。したがって、電線同士を容易に電気的に接続できる。
【００８５】
請求項２に記載の本発明は、切欠きが第１のコネクタハウジングを切り欠いているので、電線保持部は第２の電線を確実に保持できる。また、電線保持部は、第１の電線と交差する状態で第２の電線を保持する。このため、電線保持部内に第２の電線を容易に挿入でき、第２の電線を圧接端子に確実に圧接できる。したがって、電線保持部内に第２の電線を容易に挿入できるので、第１の電線と第２の電線とを容易に電気的に接続できる。
【００８６】
請求項３に記載の本発明は、第２の切欠きが第１のコネクタハウジングに対するスライド方向に沿って、第２のコネクタハウジングを切り欠いている。このため、切欠きが第１のコネクタハウジングを切り欠いた方向と、第２の切欠きが第２のコネクタハウジングを切り欠いた方向とは互いに交差している。このため、第２のコネクタハウジングを電線保持部に向かってスライドさせて、圧接端子に第２の電線を圧接すると、切欠きと第２の切欠きとで電線の外周を包囲することとなる。したがって、電線同士を容易に電気的に接続できることにくわえ、第１の電線と接続された第２の電線が不意に脱落することを防止できる。
【００８７】
請求項４に記載の本発明は、第２のコネクタハウジングを電線保持部に向かってスライドさせると、端子金具と圧接端子とが電気的に接続する。このため、圧接端子に第２の電線を圧接させると、第２の電線と第１の電線とが確実に電気的に接続する。したがって、電線同士を容易に電気的に接続できることにくわえ、電線同士を確実に電気的に接続できる。
【００８８】
請求項５に記載の本発明は、端子金具の第１の電気接触部と、圧接端子の第２の電気接触部とは、第１の電線の長手方向に互いに接触して互いに近づく方向に弾性復元力を発生する。このため、第２のコネクタハウジングを電線保持部に向かってスライドさせると、端子金具と圧接端子とが確実に電気的に接続して、第１の電線と第２の電線とが確実に電気的に接続する。したがって、電線同士をより確実に電気的に接続できる。
【００８９】
請求項６に記載の本発明は、第１の電気接触部と第２の電気接触部とは、第１及び第２の底壁から立設しかつこれらの底壁から離れた側の縁が第１及び第２の電線の長手方向に沿って変位自在である。このため、端子金具の第１の電気接触部と、圧接端子の第２の電気接触部とは、第２のコネクタハウジングを電線保持部に向かってスライドさせると、互いに接触して互いに近づく方向に弾性復元力を確実に発生する。したがって、端子金具と圧接端子とが確実に電気的に接続して、第１の電線と第２の電線とがより確実に電気的に接続する。したがって、電線同士をより一層確実に電気的に接続できる。
【００９０】
請求項７に記載の本発明は、レバー部材を回転させることで、第２のコネクタハウジングをスライドさせる。このため、第２のコネクタハウジングを確実にスライドでき、圧接端子に第２の電線を確実に圧接できる。したがって、電線同士をより一層確実に電気的に接続できる。さらに、梃子の原理で少ない力で第２のコネクタハウジングをスライドでき、圧接端子に第２の電線を確実に圧接できる。
【図面の簡単な説明】
【図１】本発明の第１の実施形態にかかるコネクタの斜視図である。
【図２】図１に示されたコネクタに電線が取り付けられていない状態を示す斜視図である。
【図３】図２中の矢印ＩＩＩ方向からみたコネクタの斜視図である。
【図４】図３に示されたコネクタを分解して示す斜視図である。
【図５】図１に示されたコネクタの端子金具と圧接端子とを示す斜視図である。
【図６】図１に示されたコネクタの第１のコネクタハウジングの電線保持部から第２のコネクタハウジングが離れている状態を示す断面図である。
【図７】図６に示された状態から第２のコネクタハウジングが電線保持部に向かってスライドされ始めた状態を示す断面図である。
【図８】図７に示された状態から第２のコネクタハウジングが電線保持部に向かって更にスライドされた状態を示す断面図である。
【図９】図８に示された状態から第２のコネクタハウジングが電線保持部に向かって完全にスライドされた状態を示す断面図である。
【図１０】図３に示されたコネクタの端子金具に第１の電線が圧接される状態を示す斜視図である。
【図１１】図３に示されたコネクタに第１の電線が取り付けられた状態を示す斜視図である。
【図１２】図２中のＸＩＩ−ＸＩＩ線に沿う断面図である。
【図１３】図１１中のＸＩＩＩ−ＸＩＩＩ線に沿う断面図である。
【図１４】図１１に示された第１の電線付きのコネクタを第２の電線に近づける状態を示す斜視図である。
【図１５】図１４に示されたコネクタなどの側面図である。
【図１６】図１５に示す状態からコネクタの電線保持部内に第２の電線を挿入した状態を示す側面図である。
【図１７】図１６に示す状態からレバー部材を回転させて第２のコネクタハウジングを電線保持部に向かって移動させた状態を示す側面図である。
【図１８】図１１に示された第１の電線付きのコネクタの電線保持部内に一方の第２の電線より他方の第２の電線が端子収容部から離れた状態で挿入された状態を示す側面図である。
【図１９】図１８に示す状態からレバー部材を回転させて第２のコネクタハウジングを電線保持部に近づけた状態を示す側面図である。
【図２０】本発明の第２の実施形態にかかるコネクタの斜視図である。
【図２１】図２０に示されたコネクタに第２の電線を取り付ける状態を示す斜視図である。
【符号の説明】
１  コネクタ
３  第１の電線
７  第２の電線
１１  第１のコネクタハウジング
１２  端子金具
１３  第２のコネクタハウジング
１４  圧接端子
１５  レバー部材
１７  電線保持部
２９  切欠き
３６  第１の電気接触部
３７  第１の底壁
４０  接触片
４３  第２の切欠き
４７  第２の電気接触部
４８  第２の底壁
５１  第２の接触片
Ｂ  第２のコネクタハウジングのスライド方向
【図１】
0003889983.tif 000002
【図２】
0003889983.tif 000003
【図３】
0003889983.tif 000004
【図４】
0003889983.tif 000005
【図５】
0003889983.tif 000006
【図６】
0003889983.tif 000007
【図７】
0003889983.tif 000008
【図８】
0003889983.tif 000009
【図９】
0003889983.tif 000010
【図１０】
0003889983.tif 000011
【図１１】
0003889983.tif 000012
【図１２】
0003889983.tif 000013
【図１３】
0003889983.tif 000014
【図１４】
0003889983.tif 000015
【図１５】
0003889983.tif 000016
【図１６】
0003889983.tif 000017
【図１７】
0003889983.tif 000018
【図１８】
0003889983.tif 000019
【図１９】
0003889983.tif 000020
【図２０】
0003889983.tif 000021
【図２１】
0003889983.tif 000022